(57)【要約】【課題】アウトソールとミッドソールとを強固に接着固定して、特に先端部での剥離が生じない靴底構造を提供する。【解決手段】ラバー材で形成されるアウトソール１２と、ＥＶＡ樹脂材で形成されアウトソール１２の上部に接着固定されるミッドソール１３とから成る靴底１１であって、アウトソール１２は、先端部１４に近づく方向に沿って肉厚形状となる肉厚部１５が形成されると共に、該肉厚部１５には少なくとも１本のリブ１６が設けられ、ミッドソール１３は、肉厚部１５の肉厚形状に対応して、先端部１７に近づく方向に沿って肉薄形状となる肉薄部１８が形成されると共に、該肉薄部１８にはリブ１６を挟持する溝部１９が形成され、リブ１６を溝部１９に挟持させた状態で接着固定した靴底構造である。【選択図】図２
0003153779.tif 000002
【実用新案登録請求の範囲】
【請求項１】
ラバー材で形成されるアウトソールと、ＥＶＡ樹脂材で形成され前記アウトソールの上部に接着固定されるミッドソールとから成る靴底であって、
前記アウトソールは、先端部に近づく方向に沿って肉厚形状となる肉厚部が形成されると共に、該肉厚部には少なくとも１本のリブが設けられ、
前記ミッドソールは、前記肉厚部の肉厚形状に対応して、先端部に近づく方向に沿って肉薄形状となる肉薄部が形成されると共に、該肉薄部には前記リブを挟持する溝部が形成され、
前記リブを前記溝部に挟持させた状態で接着固定したこと
を特徴とする靴底構造。
【請求項２】
前記靴底の先端部は、前記アウトソールと前記ミッドソールとの接着面が現れない構成であること
を特徴とする請求項１に記載の靴底構造。
【考案の詳細な説明】
【技術分野】
【０００１】
本考案は、靴底構造に関するものであり、更に詳しくは、アウトソールとミッドソールとが強固に接着固定されて、これら部材同士の剥離が生じない靴底構造に関するものである。
【背景技術】
【０００２】
従来の靴底としては、図５に示す構成のものが知られている。この靴底１は、ゴム材で形成されるアウトソール２と、合成樹脂材で形成されてアウトソール２の上部に接着固定されるミッドソール３とから構成される。
【０００３】
なお、特開２００５−４７３号公報には、爪先の屈曲疲労による爪先下がりを防止する靴底構造が開示されており（特許文献１参照）、また、実用新案登録第３１０２３７５号公報には、足裏に対する靴底のフィット性を良好に保つことができる靴底構造が開示されている（特許文献２参照）。
【先行技術文献】
【特許文献】
【０００４】
【特許文献１】特開２００５−４７３号公報
【特許文献２】実用新案登録第３１０２３７５号公報
【考案の概要】
【考案が解決しようとする課題】
【０００５】
従来例の靴底１においては、先端部４におけるアウトソール２とミッドソール３との接着面が剥離し易いという欠点がある。一例を上げると、自転車に乗った子供が先端部４を路面に擦り付けながら走行させた場合は、先端部４のアウトソール２とミッドソール３とが容易に剥離してしまう。
【０００６】
従って、従来例における靴底１においては、アウトソール２とミッドソール３とを強固に接着固定して、特に先端部４の剥離が生じないようにすることに解決しなければならない課題を有している。
【課題を解決するための手段】
【０００７】
前記従来例の課題を解決するための本考案の要旨は、ラバー材で形成されるアウトソールと、ＥＶＡ樹脂材で形成され前記アウトソールの上部に接着固定されるミッドソールとから成る靴底であって、前記アウトソールは、先端部に近づく方向に沿って肉厚形状となる肉厚部が形成されると共に、該肉厚部には少なくとも１本のリブが設けられ、前記ミッドソールは、前記肉厚部の肉厚形状に対応して、先端部に近づく方向に沿って肉薄形状となる肉薄部が形成されると共に、該肉薄部には前記リブを挟持する溝部が形成され、前記リブを前記溝部に挟持させた状態で接着固定したことである。
【０００８】
また、前記靴底の先端部は、前記アウトソールと前記ミッドソールとの接着面が現れない構成であること、；
を含むものである。
【考案の効果】
【０００９】
本考案に係る靴底構造によれば、リブを溝部に挟持させた状態で接着固定したので、特に先端部でのアウトソールとミッドソールとの接着状態が強固になり、靴底の先端部が擦れ等の衝撃を受けても剥離しないという優れた効果を奏する。
【００１０】
また、靴底の先端部は、アウトソールとミッドソールとの接着面が現れない構成であることによって、靴底の先端部が擦れ等の衝撃を受けても、接着面に直接損傷を受けることがない。
従って、靴底の先端部が擦れ等の衝撃を受けても、上記のリブを溝部に挟持させた状態で接着固定したことと相俟って、アウトソールとミッドソールとの剥離が生じないという優れた効果を奏する。
【図面の簡単な説明】
【００１１】
【図１】本考案に係る靴底１１の斜視図である。
【図２】本考案に係る靴底１１のアウトソール１２とミッドソール１３とを分離して示す斜視図である。
【図３】ミッドソール１３の下部側を示す斜視図である。
【図４】靴底１１の先端部２０を示す正面図である。
【図５】従来例に係る靴底１の斜視図である。
【考案を実施するための形態】
【００１２】
次に、本考案の実施の形態について図面を参照しながら説明する。まず、図１において、符号１１は靴底を示し、この靴底１１は、アウトソール１２と、このアウトソール１２の上部に接着固定されるミッドソール１３とから構成される。
【００１３】
アウトソール１２は、図２に示すように、ラバー材で形成され、所定厚さを有し、足形状に形成される。また、アウトソール１２の下部１２ａ側は、滑り止め用の所定の凹凸模様等が設けられている
【００１４】
アウトソール１２の上部１２ｂにおける先端部１４側は、当該先端部１４に近づく方向に沿って徐々に肉厚形状となる肉厚部１５が形成される。肉厚部１５の略中央位置には、所定高さのリブ１６が一体に形成される。
【００１５】
ミッドソール１３は、図２に示すように、ＥＶＡ樹脂材で形成され、所定の厚さを有し、アウトソール１２と同形状の足形状に形成される。
【００１６】
ミッドソール１３の下部１３ａにおける先端部１７側は、図３に示すように、当該先端部１７に近づく方向に沿って徐々に肉薄形状となる肉薄部１８が形成される。この肉薄部１８の形状とアウトソール１２の肉厚部１５の形状とは、それぞれ対応した形状であり、両者がピッタリと接合可能になっている。
また、肉薄部１８の略中央位置には、リブ１６を挟持するための溝部１９が形成されている。
【００１７】
ミッドソール１３の上部１３ｂには、複数本の長溝２１が下部１３ａ側まで貫通した状態で形成されており、この長溝２１がミッドソール１３の屈曲変形を滑らかにする役割を担っている。
【００１８】
このようなアウトソール１２とミッドソール１３とは、アウトソール１２の上部にミッドソール１３を接着固定すると共に（図２参照）、リブ１６を溝部１９に挟持させた状態で接着固定するので（図１参照）、特に靴底１１の先端部２０でアウトソール１２とミッドソール１３との接着状態が強固になり、仮に靴底１１の先端部２０が擦れ等の衝撃を受けても剥離しないのである。
【００１９】
なお、肉厚部１５に形成されるリブ１６の本数は、当該実施例では１本であるが、必ずしも１本に限定されるものではなく、複数本であってもよい。この場合は、その本数に対応した数の溝部１９を肉薄部１８に形成すればよい。
【００２０】
また、アウトソール１２とミッドソール１３と接着する接着剤は、例えばエラストマー系接着剤、エマルジョン系接着剤、ホットメルト系接着剤等の様々な種類の中から、適宜選択して用いればよい。
【００２１】
以上のような靴底１１は、図４の正面図に示すように、先端部２０においてアウトソール１２の先端部１４が全面的に現れた状態であり、ミッドソール１３との接着面２２が現れない構成に成っている。従って、靴底１１の先端部２０が擦れ等の衝撃を受けたとしても、接着面２２に直接損傷を受けることがなく、リブ１６を溝部１９に挟持させて接着固定したことの効果と相俟って、アウトソール１２とミッドソール１３との剥離が絶対に生じないのである。
【産業上の利用可能性】
【００２２】
本発明の靴底構造における靴底１１は、短靴、サンダル、あるいはブーツ等の様々な種類の靴に使用することが可能である。
【符号の説明】
【００２３】
１    靴底
２    アウトソール
３    ミッドソール
４    先端部
１１  靴底
１２  アウトソール
１２ａ下部
１２ｂ上部
１３  ミッドソール
１３ａ下部
１３ｂ上部
１４  先端部
１５  肉厚部
１６  リブ
１７  先端部
１８  肉薄部
１９  溝部
２０  先端部
２１  長溝
２２  接着面
【図１】
0003153779.tif 000003
【図２】
0003153779.tif 000004
【図３】
0003153779.tif 000005
【図４】
0003153779.tif 000006
【図５】
0003153779.tif 000007